(57)【特許請求の範囲】
【請求項１】
主ベース体と、左右方向に並べて前記主ベース体の後部に設置される複数個の固定収納庫と、前記主ベース体の前部に敷設されて固定収納庫個数よりも少ない数の移動収納庫を左右方向に移動可能に支持する前後２条のレールと、前記主ベース体の前端に連結可能な列増設用ベース体と、前記列増設用ベース体上に敷設される２条のレールとを備え、
前記主ベース体が、固定収納庫列の端の直下に位置して該固定収納庫列の端に沿って延び該固定収納庫を支持する列端用のベース脚と、該列端用のベース脚の約２倍の横幅を有し且つ互いに隣接する２つの固定収納庫の隣接端の直下に位置して該隣接端に沿って延び該２つの固定収納庫を均等に支持する列中間用のベース脚とを備え、前記列端用のベース脚と前記列中間用のベース脚とが互いに分離可能に且つ個別に高さ調整及び水平度調整可能に形成され、
前記列増設用ベース体が、前記列端用のベース脚と略同一の横幅を有し且つ前記列端用のベース脚の前端に連結可能な列端増設用のベース脚と、前記列中間用のベース脚と略同一の横幅を有し且つ前記列中間用のベース脚の前端に連結可能な列中間増設用のベース脚とを備え、該列端増設用のベース脚と列中間増設用のベース脚とが互いに分離可能に且つ個別に高さ調整及び水平度調整可能に形成されていることを特徴とする横引き収納家具。
【請求項２】
前記主ベース体上のレールは、主ベース体において左右に隣接する２つのベース脚に対し着脱可能に取り付けることができるレール底板部材の上に固着されており、前記列増設用ベース体上のレールは、列増設用ベース体において左右に隣接する２つのベース脚に対し着脱可能に取り付けることができるレール底板部材の上に固着されていることを特徴とする請求項１記載の横引き収納家具。
【請求項３】
前記主ベース体上の前後のレール間を覆う中間ベースカバーと、後側レールの後方を覆う後ベースカバーと、前側レールの前方を覆う前ベースカバーとを更に備え、これら中間ベースカバー、後ベースカバー及び前ベースカバーは前記レールとほぼ同一高さを有するとともに、前記主ベース体において左右に隣接する２つのベース脚に対しそれぞれ着脱可能に取り付けられていることを特徴とする請求項１又は２記載の横引き収納家具。
【請求項４】
前記列増設用ベース体上の前後のレール間を覆う増設用中間ベースカバーと、前記主ベース体の前端に列増設用ベース体を増設する際に主ベース体上の前側レールと列増設用ベース体上の後側レールとの間を覆う増設用連結ベースカバーとを更に備え、これら増設用中間ベースカバー及び増設用連結ベースカバーは前記レールとほぼ同一高さを有するとともに、前記列増設用ベース体において左右に隣接する２つのベース脚に対しそれぞれ着脱可能に取り付けられ、前記主ベース体上の前ベースカバーは列増設用ベース体上の前側レールの前方に移設可能であることを特徴とする請求項３記載の横引き収納家具。
【請求項５】
前記前ベースカバーは、前記主ベース体上又は列増設用ベース体上に設置されたとき両端が左右に隣接する２つのベース脚の上面及び前端面を覆うように形成されていることを特徴とする請求項４記載の横引き収納家具。
【発明の詳細な説明】
【０００１】
【発明の属する技術分野】
本発明は、収納庫の増設に容易に対応することができる横引き収納家具に関する。
【０００２】
【従来の技術】
一般に、横引き収納家具は、左右方向に並べて配設される固定収納庫の前方にレールを配設し、このレール上に移動収納庫を左右方向に移動可能に配設したものとなっている。したがって、固定収納庫に対し物品を出し入れするときは、移動収納庫を横に移動させて固定収納庫の前方に作業空間を確保できるので、固定収納庫の前方のスペースを有効活用して収納容積の拡大を図ることができる。
【０００３】
横引き収納家具は最小限２つの固定収納庫と、１つの移動収納庫を備えるものとなるが、必要に応じて固定収納庫の設置個数を増やすときは、最大限固定収納庫の個数よりも１つ少ない数の移動収納庫を同列に配置することが可能となる。また、移動収納庫の列数を増やすことによって更にスペースの有効活用を図ることが可能となる。
【０００４】
【発明が解決しようとする課題】
従来、一体に形成したベース体の後部に複数個の固定収納庫を設置し、その前方に移動収納庫を左右方向に移動可能に支持するレールを敷設した構成の横引き収納家具（実開昭５７-２１１６６号公報参照）や、一体に形成したベース体の後部に１つの固定収納庫を設置し、その前方に移動収納庫を左右方向に移動可能に支持するレールを敷設した構成の横引き収納家具（特開平１０-３２７９４５号公報参照）が知られている。
【０００５】
前者の一体型ベース体を用いた場合、移動収納庫の列数増加に対応するためには、ベース体上に設置されている固定収納庫の個数に応じて該ベース体と同一の横幅を有する列増設用ベース体を準備する必要があり、その製造及び在庫管理等が非効率となる。また、後者の一体型ベース体を用いた場合、ベース体が固定収納庫１個の横幅に対応した一体構成であるため、設置しようとする固定収納庫の個数に対応した数の互いに独立したベース体が必要であり、それらを互いに連結する必要があるため、全体として部品点数が増え、コストアップの原因となる。また、後者の一体型ベース体の前方に増設される移動収納庫列増設用ベース体も固定収納庫１個の横幅に対応した一体構成品であるため、移動収納庫列を増設するには、固定収納庫の個数に対応した数の互いに独立した移動収納庫列増設用ベース体が必要であり、それらを個別にベース体に連結する必要があるとともに、互いに連結する必要があるため、全体として部品点数が増え、大きなコストアップを招くこととなる。
【０００６】
したがって、本発明の目的は、最小限の部品増で固定収納庫および移動収納庫の増設に容易に対応することができる横引き収納家具を提供することにある。
【０００７】
【課題を解決するための手段】
上記課題を解決するために、本発明によれば、主ベース体と、左右方向に並べて前記主ベース体の後部に設置される複数個の固定収納庫と、前記主ベース体の前部に敷設されて固定収納庫個数よりも少ない数の移動収納庫を左右方向に移動可能に支持する前後２条のレールと、前記主ベース体の前端に連結可能な列増設用ベース体と、前記列増設用ベース体上に敷設される２条のレールとを備え、前記主ベース体が、固定収納庫列の端の直下に位置して該固定収納庫列の端に沿って延び該固定収納庫を支持する列端用のベース脚と、該列端用のベース脚の約２倍の横幅を有し且つ互いに隣接する２つの固定収納庫の隣接端の直下に位置して該隣接端に沿って延び該２つの固定収納庫を均等に支持する列中間用のベース脚とを備え、前記列端用のベース脚と前記列中間用のベース脚とが互いに分離可能に且つ個別に高さ調整及び水平度調整可能に形成され、前記列増設用ベース体が、前記列端用のベース脚と略同一の横幅を有し且つ前記列端用のベース脚の前端に連結可能な列端増設用のベース脚と、前記列中間用のベース脚と略同一の横幅を有し且つ前記列中間用のベース脚の前端に連結可能な列中間増設用のベース脚とを備え、該列端増設用のベース脚と列中間増設用のベース脚とが互いに分離可能に且つ個別に高さ調整及び水平度調整可能に形成されていることを特徴とする横引き収納家具が提供される。
【０００８】
上記構成を有する横引き収納家具においては、主ベース体を構成する列中間用のベース脚が列端用のベース脚の約２倍の横幅を有していて互いに隣接する２つの固定収納庫を均等に支持するものであり、該列中間用のベース脚と列端用のベース脚とが互いに分離可能に且つ個別に高さ調整及び水平度調整可能に形成されているので、固定収納庫の増設に応じて主ベース体の横幅を拡張するときは、主ベース体の端に位置する列端用のベース脚を別の新たな列中間用のベース脚に置き換え、該列端用のベース脚を主ベース体の新たな端に移設することができる。したがって、最小限の部品増で固定収納庫の増設に対応し得るものとなる。また、主ベース体の横幅を拡張する際にベース体の水平度調整を簡易迅速に効率よく行うことができる。さらに、主ベース体の前方に列増設用ベース体を増設して移動収納庫の列数を増やすときは、主ベース体を構成する列端用のベース脚の前端に該列端用のベース脚と略同一の横幅を有する列端増設用のベース脚を連結し、且つ、主ベース体を構成する列中間用のベース脚の前端に該列中間増設用のベース脚と略同一の横幅を有する列中間増設用のベース脚を連結することにより、最小限の部品増で移動収納庫の列数増加に対応し得るものとなる。さらに、固定収納庫の増設に応じて列増設用ベース体の横幅を拡張するときは、列端増設用のベース脚を別の新たな列中間増設用のベース脚に置き換え、該列端増設用ベース脚を列増設用ベース体の新たな端に移設することができる。したがって、最小限の部品増で列増設用ベース体を横拡張し得るものとなる。しかも、主ベース体の列中間用のベース脚は互いに隣接する２つの固定収納庫の隣接端直下で該２つの固定収納庫を均等に支持するよう形成されているので、固定収納庫間の連結構造を強固且つ簡素なものにすることができる。また、列増設用ベース体を設置する際に、床面に対し列端増設用ベース脚及び列中間増設用ベース脚の水平度調整を行うことにより、床面に対する列増設用ベース体の水平度調整を簡易迅速に行うことができる。
【０００９】
好ましくは、前記主ベース体上のレールは、左右に隣接する２つのベース脚に対し着脱可能に取り付けることができるレール底板部材の上に固着されており、前記列増設用ベース体上のレールは、左右に隣接する２つのベース脚に対し着脱可能に取り付けることができるレール底板部材の上に固着される。
【００１０】
上記構成によれば、主ベース体において左右に隣接する２つのベース脚に対しレール底板部材の両端をそれぞれ取り付けることにより、また、列増設用ベース体において左右に隣接する２つのベース脚に対しレール底板部材の両端をそれぞれ取り付けることにより、主ベース体上及び列増設用ベース体上へのレール取り付け作業を簡易迅速に行うことができる。また、各レールの両側においてベース脚間の空間をレール底板部材又はレール底板部材により塞ぐことができるので、美観が向上するとともに、物品等が上からベース脚間の空間内に落ち込むことを防止できる。
【００１１】
また好ましくは、前記主ベース体上の前後のレール間を覆う中間ベースカバーと、後側レールの後方を覆う後ベースカバーと、前側レールの前方を覆う前ベースカバーとを更に備え、これら中間ベースカバー、後ベースカバー及び前ベースカバーは前記レールとほぼ同一高さを有するとともに、前記主ベース体において左右に隣接する２つのベース脚に対しそれぞれ直接的又は間接的に且つ着脱可能に取り付けられる。
【００１２】
上記構成によれば、主ベース体上の中間ベースカバー、後ベースカバー及び前ベースカバーがベース脚上でレールとほぼ同一高さを有するので、固定収納庫を利用する際に主ベース体上の進入路の足元を安全にすることができる。また、これらベースカバーが左右に隣接する２つのベース脚に対しそれぞれ着脱可能であるので、主ベース体を支障なく横拡張することができる。
【００１３】
さらに好ましくは、前記列増設用ベース体上の前後のレール間を覆う増設用中間ベースカバーと、前記主ベース体の前端に列増設用ベース体を増設する際に主ベース体上の前側レールと列増設用ベース体上の後側レールとの間を覆う増設用連結ベースカバーとを更に備え、これら増設用中間ベースカバー及び増設用連結ベースカバーは前記レールとほぼ同一高さを有するとともに、前記列増設用ベース体において左右に隣接する２つのベース脚に対しそれぞれ直接的又は間接的に且つ着脱可能に取り付けられ、前記主ベース体上の前ベースカバーは列増設用ベース体上の前側レールの前方に移設可能に形成される。
【００１４】
上記構成によれば、固定収納庫又は移動収納庫を利用する際に列増設用ベース体上の進入路の足元を安全にすることができる。また、これらベースカバーが左右に隣接する２つのベース脚に対しそれぞれ着脱可能であるので、列増設用ベース体を支障なく横拡張することができる。しかも、前記主ベース体上の前ベースカバーは列増設用ベース体上の前側レールの前方に移設可能であるので、最小限の部品増で効果的に列増設用ベース体を設置できるものとなる。
【００１５】
さらに好ましくは、前記前ベースカバーは、前記主ベース体上又は列増設用ベース体上に設置されたとき両端が左右に隣接する２つのベース脚の上面及び前端面を覆うように形成される。
【００１６】
上記構成によれば、前ベースカバーを主ベース体に取り付けたときは主ベース体において左右に隣接する２つのベース脚の上面間の空間及び前端面間の空間を前ベースカバーによって塞ぐことができ、また、前ベースカバーを列増設用ベース体上に移設したときは列増設用ベース体において左右に隣接する２つのベース脚の上面間の空間及び前端面間の空間を前ベースカバーによって塞ぐことができるので、主ベース体又は列増設用ベース体の美観を効果的に向上させることができる。
【００１７】
【発明の実施の形態】
以下、図面を参照して本発明の好ましい実施形態を説明する。
【００１８】
【実施例】
図１から図１０までは本発明の一実施例を示したものである。
【００１９】
はじめに図１から図５までを参照すると、横引き収納家具は、主ベース体１０の後部に２つの固定収納庫１１、１２を備え、その前方に１つの移動収納庫１３を備え、固定収納庫１１、１２と移動収納庫１３とにより２列構成となっている。
【００２０】
この実施例の固定収納庫１１、１２及び移動収納庫１３はそれぞれ内部に複数の棚１６を備えたものとなっているが、他の如何なる収納形態のもの、例えば内部に引出しを備えた形態ものや、ロッカー形態のものであってもよい。また、この実施例においては、左右に並ぶ固定収納庫１１、１２の前端部には１枚の引き戸１７が左右方向に移動可能に支持されており、一方の固定収納庫１１の前面が移動収納庫１３で塞がれているときに、他方の固定収納庫１２の前面を引き戸１７で塞ぐことができるものとなっている。しかし、引き戸１７に代えて両固定収納庫１１、１２にそれぞれ扉を設けてもよく、また、両固定収納庫１１、１２が引出しを備えたものであるときは、引き戸を省略してもよい。移動収納庫１３は前面に扉１８を備えている。しかし、移動収納庫１３が引出しを有するものであるときは扉が省略され得る。
【００２１】
主ベース体１０は、固定収納庫列の端直下に位置して固定収納庫１１、１２をそれぞれ支持する列端用のベース脚２１、２２と、互いに隣接する固定収納庫１１、１２の隣接端直下に位置して２つの固定収納庫１１、１２を支持する列中間用のベース脚２３とを備え、各ベース脚２１、２２、２３は互いに分離可能に形成されている。
【００２２】
図２、図３及び図４を参照すると、列中間用ベース脚２３は列端用ベース脚２１、２２よりも幅広、例えば約２倍の幅に形成されており、主ベース体１０を構成する列端用ベース脚２１、２２及び列中間用ベース脚２３は左右に間隔を開けて配置される。各ベース脚２１、２２、２３は頂壁部とこの頂壁部の左右両端から下方に延びる縦壁部とを有し断面略コ字状に形成されている。各ベース脚２１、２２、２３の頂壁部には床面に対し高さ及び水平度を調整するための複数個のアジャスタボルト２４が前後方向に間隔を開けて取り付けられている。また、各ベース脚２１、２２、２３はそれぞれアジャスタボルト２４による高さ及び水平度調整の後、床面にボルトで固定される床固定具２５にボルト締めされることにより、床面に対し着脱可能に取り付けられる。このとき、列端用ベース脚２１、２２を固定する床固定具２５はそれぞれ列端用ベース脚２１、２２の内側のみに配設することができるので、外部への露出を避けることができる。また、列中間用ベース脚２３を固定する床固定具２５は列中間用ベース脚２３の前後両側に配置することができるので、列中間用ベース脚２３を床面に対し強固に固定することができる。
【００２３】
２つの固定収納庫１１、１２は収納庫本体１１ａ、１２ａと収納庫底枠１１ｂ、１２ｂとを有し、収納庫本体１１ａ、１２ａと収納庫底枠１１ｂ、１２ｂとはほぼ同一の横幅を有する。固定収納庫１１の収納庫底枠１１ｂはその両端がベース脚２１、２３に対し着脱可能にボルト止めされる。このとき、列端用ベース脚２１、２２はその外側面が収納庫底枠１１ｂ、１２ｂの外側面とほぼ揃うように位置し、列中間用ベース脚２３は２つの収納庫底枠１１ｂ、１２ｂの隣接端直下に位置する。なお、図２では正面視右側の収納庫底枠１１ｂのみが図示されている。
【００２４】
収納庫底枠１１ｂ、１２ｂの前方において、ベース脚２１、２３及びベース脚２２、２３にはそれぞれ左右方向に延びる前後２条のレール２６、２７が敷設される。レール２６、２７は収納庫１１、１２の横幅とほぼ等しい長さを有し、列中間用ベース脚２３の上で右側のレール２６、２７と左側のレール２６、２７とが衝合されて継ぎ合わされるようになっている。なお、図２では正面視右側のレール２６、２７のみが図示されている。この実施例では、図２に示すように、２条のレール２６、２７はレール底板部材２８の上に溶接或いはボルト締め等により固定され一体化されており、レール底板部材２８はその両端が２つのベース脚２１、２３に対し着脱可能にボルト止めされる。このように、２条のレール２６、２７はレール底板部材２８を介して一体化されているので、ベース脚２１、２２、２３等への取り付けや位置設定等の作業を効率よく行うことができる。レール底板部材２８の底面略中央部には床面に当接させるアジャスタ２９が取り付けられている。レール２６、２７は角パイプからなり、その外端部にはキャップ３０を取り付けることができる。
【００２５】
更に、図３に示すように、主ベース体１０には前後のレール２６、２７の間を覆う中間ベースカバー３１と、後側レール２７の後方を覆う後ベースカバー３２と、前側レール２６の前方を覆う前ベースカバー３３とが設けられる。これらベースカバー３１、３２、３３はレール２６、２７とほぼ等しい長さを有し、且つ、レール２６、２７とほぼ同一高さ、あるいは、レール２６、２７よりも若干高目の高さを有するものとなっている。そして、図３において正面視右側のベースカバー３１、３２、３３は、図２に示すように、それぞれレール底板部材２８の上からベース脚２１、２３に対し着脱可能にボルト止めされる。なお、レール底板部材２８を省略するときは、ベースカバー３１、３２、３３をベース脚２１、２３に対し直接着脱可能に取り付けることができる。また、図３において正面視左側のベースカバー３１、３２、３３は、図４からわかるように、それぞれレール底板部材２８の上からベース脚２２、２３に対し着脱可能にボルト止めされる。このようにして、右側のベースカバー３１、３２、３３と左側のベースカバー３１、３２、３３は列中間用ベース脚２３の上で衝合されて継ぎ合わされる。
【００２６】
図２、図３及び図４からわかるように、ベース脚２１、２３に取り付けられる前ベースカバー３３はその両端がベース脚２１、２３の上面及び前端面を覆うように形成されており、ベース脚２２、２３に取り付けられる前ベースカバー３３はその両端がベース脚２２、２３の上面及び前端面を覆うように形成されている。また、後ベースカバー３２及び前ベースカバー３３はそれぞれレール底板部材２８の上に覆い被さるように形成されているので、収納庫底枠１１ｂ、１２ｂの前方における主ベース体１０の上面はこれらレール底板部材２８及びベースカバー３１、３２、３３により覆われるものとなり、上から収容部ベース脚２１、２３の間及びベース脚２２、２３の間の空間に異物等が落下することを防止できる。図２において、３４は後部化粧カバー、３５は引き戸１７の下部を左右方向に案内する下部引き戸レールである。後部化粧カバー３４はベース１１ｂ、１２ｂの後端部にねじ止めされ、下部引き戸レール３５は後ベースカバー３２の後端部上にねじ止めされる。
【００２７】
床面上に主ベース体１０が組み立てられた後、図３に示すように、固定収納庫１１、１２の収納庫本体１１ａ、１２ａが前後の目地板３６、３７を介して互いに連結されるとともに、該収納庫本体１１ａ、１２ａの底板の上から収納庫底枠１１ｂ、１２ｂ上にボルト止めされる。
【００２８】
また、図３及び図５に示すように、固定収納庫１１、１２における収納庫本体１１ａ、１２ａの天板下面には、移動収納庫１３を左右方向に移動可能に案内する上部ガイドレール３８がボルト３９によって取り付けられ、この上部ガイドレール３８の下面に、引き戸１７を左右方向に案内する上部引き戸ガイドレール４０が取り付けられる。また、引き戸１７の上端部には上部引き戸ガイドレール４０に案内されるローラ４１が取り付けられる。
【００２９】
更に、図３及び図４に示すように、主ベース体１０上には前後２条のレール２６、２７上を転動する車輪４１、４２を備えた台車４３が配設され、この台車４３上に移動収納庫１３の収納庫本体１３ａが取り付けられる。そして、図５に示すように、固定収納庫１１、１２における収納庫本体１１ａ、１２ａの天板上面後端には、上部ガイドレール３８に案内されるローラ４４を備えたローラ取付板４５が取り付けられる。４６は必要に応じて固定収納庫１１、１２の上面に取り付けられる転倒防止板である。
【００３０】
以上により、図１に示す２列構成の横引き収納家具の組み立てが完了する。
【００３１】
次に、図６から図１０までを参照して、３列構成の横引き収納家具の組み立て方法を説明する。
【００３２】
図６を参照すると、横引き収納家具は、図１に示す構成に対し、主ベース体１０の前方に列増設用ベース体５０を増設し、その上に移動収納庫１４を左右方向に移動可能に配設したものとなっている。
【００３３】
図７を参照すると、主ベース体１０の列端用ベース脚２１、２２及び列中間用ベース脚２３の前端に連結部材５４、５５、５６がそれぞれボルト止めされ、列増設用ベース体５０を構成する増設用列端ベース脚５１、５２及び増設用列中間ベース脚５３がそれぞれ連結部材５４、５５、５６にボルト止めされることにより、連結部材５４、５５、５６を介して主ベース体１０のベース脚２１、２２、２３に対し着脱可能に連結される。そして、ベース脚５１、５３上及びベース脚５２、５３上にはそれぞれ上面に前後２条のレール５９、６０を固着したレール底板部材５８がボルト止めされる。レール５９、６０を備えたレール底板部材５８はレール２６、２７を備えたレール底板部材２８と同一形状寸法であり、共通部品とすることができる。
【００３４】
図７及び図８からわかるように、レール５９、６０の間に配置される増設用中間ベースカバー６１、６１は、レール底板部材５８の上からベース脚５１、５３及びベース脚５２、５３にボルト止めされる。なお、レール底板部材５８が省略されるときは、ベースカバー３１、３２、３３をベース脚２１、２３に対し直接着脱可能に取り付けることができる。増設用中間ベースカバー６１、６１もまた主ベース体１０に用いられる中間ベースカバー３１と同一形状寸法であり、共通部品とすることができる。さらに、主ベース体１０上の前側レール２６と列増設用ベース体５０上の後側レール６０との間を覆う増設用連結ベースカバー６２、６２は、レール底板部材２８、５８の上からベース脚２１、２３とベース脚５１、５３、及びベース脚２２、２３とベース脚５２、５３にそれぞれボルト止めされる。さらに、増設用前側レール５９の前方に配置される増設用前ベースカバー６３、６３はレール底板部材５８の上からベース脚５１、５３及びベース脚５２、５３にボルト止めされる。この増設用前ベースカバー６３、６３もまた主ベース体１０に用いられる前ベースカバー３３と同一形状寸法であり、共通部品とすることができる。また、図１に示す構成から図６に示す構成へと増設するときは、主ベース体１０に用いられている前ベースカバー３３、３３をベース脚２１、２３及びベース脚２２、２３から取り外し、増設用前ベースカバー６３、６３としてベース脚５１、５３及びベース脚５２、５３上に移設することができる。
【００３５】
図９に示すように、列増設用ベース体５０上のレール５９、６０には前後に車輪６４、６５を備えた台車６６が左右方向に移動可能に配置され、この台車６６上に移動収納庫１４の収納庫本体１４ａがボルト止めされる。台車６６もまた主ベース体１０上に設けられる台車４３と同一形状寸法であり、共通部品とすることができる。台車６６には移動収納庫１４の収納庫本体１４ａが取り付けられる。
【００３６】
図８及び図１０（ａ）、（ｂ）に示すように、固定収納庫１１、１２における収納庫本体１１ａ、１２ａの天板上面には増設用上部ガイドレール７０が取り付けられる。このとき、増設用上部ガイドレール７０と、移動収納庫１３を左右方向に移動可能に案内する上部ガイドレール３８とを共通のボルト３９によって収納庫本体１１ａ、１２ａの天板に共締めすることにより、取付構造を簡素化することができる。さらに、移動収納庫１４の上面には増設用ガイド天板７１が取り付けられ、増設用上部ガイドレール７０にガイドされるローラ７２を備えたローラ取付板７３が増設用ガイド天板７１の後端に取り付けられる。
【００３７】
以上のようにして、図６に示す３列構成の横引き収納家具を組み立てることができる。
【００３８】
図１１は図１に示す２列構成の横引き収納家具に対し、主ベース体１０を横拡張し、固定収納庫８０と移動収納庫８１をそれぞれ１つ追加した構成例を示す。この場合、列中間用ベース脚２３と同一形状寸法の新たな列中間用ベース脚８２を追加し、列端用ベース脚２２を列の端に移設して用いることができる。
【００３９】
図１２は図１１に示す２列構成の横引き収納家具を更に３列構成に拡張し、２列目と３列目にそれぞれ移動収納庫８３、８４を追加した構成例を示す。この場合、増設用列中間ベース脚５３と同一形状寸法の新たな増設用列中間ベース脚８５を追加し、増設用列端ベース脚５２を列の端に移設して用いることができる。
【００４０】
以上述べたように、上記構成を有する横引き収納家具においては、主ベース体１０を構成する列端用のベース脚２１、２２と列中間用のベース脚２３とが互いに分離可能に形成されているので、固定収納庫の増設に応じて主ベース体１０の横幅を拡張するときは、主ベース体１０の端に位置する列端用のベース脚２２を別の新たな列中間用のベース脚８２に置き換え、該列端用のベース脚２２を主ベース体１０の新たな端に移設することができるので、最小限の部品増で固定収納庫の増設に対応し得るものとなる。また、主ベース体１０の前方に列増設用ベース体５０を増設して移動収納庫の列数を増やすときは、主ベース体１０を構成するベース脚２１、２２、２３の前端に増設用のベース脚５１、５２、５３をそれぞれ連結することにより、最小限の部品増で移動収納庫の列数増加に対応し得るものとなる。さらに、固定収納庫の増設に応じて列増設用ベース体５０の横幅を拡張するときは、列端増設用のベース脚５２を別の新たな列中間増設用のベース脚８５に置き換え、該列端増設用ベース脚５２を列増設用ベース体５０の新たな端に移設することができるので、最小限の部品増で列増設用ベース体を横拡張し得るものとなる。しかも、主ベース体５０の列中間用のベース脚２３は互いに隣接する固定収納庫１１、１２の隣接端直下で２つの固定収納庫１１、１２を支持するよう形成されているので、固定収納庫１１、１２間の連結構造を強固且つ簡素なものにすることができる。また、列増設用ベース体５０を設置する際に、床面に対し列端増設用ベース脚５１、５２及び列中間増設用ベース脚５３の水平度調整を行うことにより、床面に対する列増設用ベース体５０の水平度調整を簡易迅速に行うことができる。
【００４１】
また、主ベース体５０におけるベース脚２１、２３及びベース脚２２、２３に対しレール底板部材２８、２８の両端をそれぞれ取り付けることにより、また、列増設用ベース体５０におけるベース脚５１、５３及びベース脚５２、５３に対しレール底板部材５８の両端をそれぞれ取り付けることにより、主ベース体１０上及び列増設用ベース体５０上へのレール取り付け作業を簡易迅速に行うことができる。また、レール２６、２７及びレール５９、６０の両側においてベース脚間の空間をレール底板部材２８又はレール底板部材５８により塞ぐことができるので、美観が向上するとともに、異物等が上からベース脚間の空間内に落ち込むことを防止できる。
【００４２】
さらに、主ベース体１０上の中間ベースカバー３１、後ベースカバー３２及び前ベースカバー３３がベース脚２１、２２、２３上でレール２６、２７とほぼ同一高さを有するので、固定収納庫１１、１２を利用する際に主ベース体１０上の進入路の足元を安全にすることができる。また、これらベースカバー３１、３２、３３がベース脚２１、２２、２３に対しそれぞれ着脱可能であるので、主ベース体１０を支障なく横拡張することができる。また同様に、列増設用ベース体５０を増設した際の、増設用中間ベースカバー６１と、増設用連結ベースカバー６２と、増設用前ベースカバー６３が、レール２６、２７及び増設用レール５９、６０とほぼ同一高さを有するので、固定収納庫１１、１２又は移動収納庫１３を利用する際に列増設用ベース体５０上の進入路の足元を安全にすることができる。また、これらベースカバー６１、６２、６３が増設用ベース脚５１、５２、５３に対しそれぞれ着脱可能であるので、列増設用ベース体５０を支障なく横拡張することができる。しかも、主ベース体１０上の前ベースカバー２３は列増設用ベース体５０上の前側レール５９の前方に移設可能であるので、最小限の部品増で効果的に列増設用ベース体５０を設置できるものとなる。
【００４３】
さらに、前ベースカバー２３を主ベース体１０に取り付けたときは主ベース体１０にベース脚２１、２、２３の上面間の空間及び前端面間の空間を前ベースカバー２３によって塞ぐことができ、また、前ベースカバー２３を列増設用ベース体５０上に移設したときは列増設用ベース体５０においてベース脚５１、５２、５３の上面間の空間及び前端面間の空間を前ベースカバー２３によって塞ぐことができるので、主ベース体１０又は列増設用ベース体５０の美観を効果的に向上させることができる。
【００４４】
以上、図示実施例につき説明したが、本発明は上記実施例の態様のみに限定されるものではなく、移動収納庫の列数をさらに増やしたり、主ベース体１０及び列増設用ベース体５０を更に横拡張して固定収納庫および移動収納庫の個数を増やすことができる。
【００４５】
【発明の効果】
以上の説明から明らかなように、本発明によれば、最小限の部品増で固定収納庫および移動収納庫の増設に容易に対応することができる横引き収納家具を提供することができる。
【図面の簡単な説明】
【図１】（ａ）、（ｂ）、（ｃ）はそれぞれ本発明の一実施例に係る２列構成の横引き収納家具の平面図、正面図、（ｂ）中１ｃ−１ｃ線に沿った概略断面図である。
【図２】図１に示す横引き収納家具の主ベース体を構成する主要部材の分解斜視図である。
【図３】図１に示す横引き収納家具の主ベース体上に配置される固定収納庫と移動収納庫の連結構造を示す主要部材の分解斜視図である。
【図４】図１の横引き収納家具における主ベース体の組み立て構造を示す要部縦断面図である。
【図５】図１に示す横引き収納家具の固定収納庫と移動収納庫との連結構造を示す要部縦断面図である。
【図６】図１に示す２列構成の横引き収納家具の主ベース体に列増設用ベース体を増設し移動収納庫を１列増やして３列構成にした状態を示す平面図である。
【図７】図６に示す横引き収納家具の主ベース体を構成する主要部材の分解斜視図である。
【図８】図６に示す横引き収納家具の主ベース体上に配置される固定収納庫と主ベース体上及び列増設用ベース体上に配置される移動収納庫の相互連結構造を示す主要部材の分解斜視図である。
【図９】図６の横引き収納家具における主ベース体及び列増設用ベース体の組み立て構造を示す要部縦断面図である。
【図１０】（ａ）、（ｂ）はそれぞれ図６の横引き収納家具における固定収納庫と移動収納庫の連結構造を示す要部縦断面図である。
【図１１】図１の横引き収納家具における主ベース体を横拡張し、固定収納庫と移動収納庫を増設した例を示す平面図である。
【図１２】図１１に示す横引き収納家具の主ベース体に更に列増設用ベース体を増設し、移動収納庫列を１つ増やして２列とし、移動収納庫を更に２つ増設した例を示す平面図である。
【符号の説明】
１０    主ベース体
１１、１２、８０    固定収納庫
１３、１４、８３、８４    移動収納庫
２１、２２、２３、８２    主ベース体におけるベース脚
２６、２７    レール
２８    レール底板部材
３１    中間ベースカバー
３２    後ベースカバー
３３    前ベースカバー
５０    列増設用ベース体
５１、５２、５３、８５    列増設用ベース体におけるベース脚
５９、６０  列増設用レール
５８    レール底板部材
６１    増設用中間ベースカバー
６２    増設用連結ベースカバー
６３    増設用前ベースカバー
【図１】
0003763390.tif 000002
【図２】
0003763390.tif 000003
【図３】
0003763390.tif 000004
【図４】
0003763390.tif 000005
【図５】
0003763390.tif 000006
【図６】
0003763390.tif 000007
【図７】
0003763390.tif 000008
【図８】
0003763390.tif 000009
【図９】
0003763390.tif 000010
【図１０】
0003763390.tif 000011
【図１１】
0003763390.tif 000012
【図１２】
0003763390.tif 000013